Podtech/llm-jp-corpus-v4-ja_patent huggingface dataset:
(57)【要約】      （修正有）【課題】便座開閉操作位置が判り、便座開閉操作時に便器に触れる恐れのなく、開閉操作部は、大便時に邪魔にならない位置にあり、開閉操作は、老幼を問わず容易で、開閉操作部は、交換容易で清潔性を常に維持できる便座ハンドを提供する。【解決手段】便器から手の触れる恐れのない位置に開閉操作取手を設ける。便座側面のほぼ中央とする。便座を上げる力を小さくする為位置可変可能な錘をつける。操作部は、取手受け▲１▼と取手▲２▼の分割した構成にして、抜き挿し容易な構造とする。取手は、洗うこともできるし袋状のカバーを取り付けできる板状とする。【選択図】図１
0003119655.tif 000002
【実用新案登録請求の範囲】
【請求項１】
便座ハンド▲２▼を出し入れする受座▲１▼と手軽に交換出来る便座ハンド▲２▼により構成されるもので、洋式大便器における便座開閉時の清潔性を高めた取手である。
【考案の詳細な説明】
【考案の詳細な説明】
【技術分野】
【０００１】  この考案は、洋式大便器の便座開閉を清潔にできるものである。
【背景技術】
【０００２】  従来の洋式大便器は便器本体と便座を最小単位として構成され、男子の小便時は便座を上側に持ち上げる必要がある。便座は便器より少し大きく、便器上面より浮かせた状態にしてあるため、大人の便座開閉にそれ程衛生上の支障はない。子供の場合は便座の内側まで指を入れて便座を上げることが多く、便器に手が触れるという衛生上の問題がある。
【考案が解決しようとする課題】
【０００３】  洋式大便器で男性が小便をする時は便座を上げてやらねばならないが、その位置や方法は明らかに表示されていない。本考案は、便座開閉の手の位置を明確にすると共に便座開閉の清潔度をアップさせるものである。
【課題を解決する手段】
【０００４】  この便座ハンドは大便時に邪魔にならないことと、便器から離れて清潔性が確実に保たれること、さらに操作に支障を感じない位置に設置しなければならない。
その位置は便座の側面の中央付近であるが、便座開閉時に必要な力はほぼ倍の力を必要とする。
このため、取付け位置に応じた調整可能なおもりを設けることにより幼児でも開閉可能な状態に出来る。
【考案を実施するための最良の形態】
【０００５】  便座開閉調整錘の取り付けられた取手受け▲１▼を便座側面に工業用粘着両面テープで取り付け、取手▲２▼を挿入する。次に便座開閉調整錘の位置を調整して開閉操作のしやすい位置で固定することで取り付け完了となる。
本考案により取手はいつでも交換可能であり、形状を問うことなく且つ袋状の消毒マット等の取付けも可能である。このことにより便座開閉時の清潔性を大幅に改善できる。
【考案の効果】
【０００６】  洋式大便器の便座開閉操作が、老幼男子を問わず清潔に出来る。
【図面の簡単な説明】
【図１】  本図は、構造概要図である。▲１▼は取手受けであり、便座へＡ：工業用粘着両面テープで固定する。取手受け▲１▼には、開閉操作を円滑にする為のＢ：錘支持アーム、Ｃ：錘、Ｄ：錘位置固定ビスが付属する。取手受け▲１▼は取手▲２▼の交換を容易に行え、且つ長期間頻繁な便座開閉操作に耐える構造と材質とする。本図は取手受け▲１▼に設けられた溝部に取手▲２▼を差し込む方法である。
【図２】  本図は、便座ハンドの取り付け要領と操作要領を説明したものである。
【符号の説明】
▲１▼：取手受け
Ａ：両面テープ
Ｂ：錘支持アーム
Ｃ：錘
Ｄ：錘位置固定ビス
【図１】
0003119655.tif 000003
【図２】
0003119655.tif 000004
【手続補正書】
【提出日】平成17年11月18日(2005.11.18)
【手続補正１】
【補正対象書類名】実用新案登録請求の範囲
【補正対象項目名】請求項１
【補正方法】変更
【補正の内容】
【請求項１】
便座側面に工業用粘着両面テープで固定された受座▲１▼と受座▲１▼に対して出し入れすることで交換可能な便座ハンド▲２▼により構成される洋式大便器における便座開閉時の清潔性を高めた取手
(57)【要約】【課題】  ナイロンコード草刈り機で草刈り高さを一定に揃える事が困難なこと。ナイロンコード草刈り機を地面から持ち上げての動作が疲労を伴う作業であることを解消する。【解決手段】  従来備え付けられている防塵カバー側面に２個、前部にナイロンコード回転円周上まで延のばした金具に１個、それぞれ前後左右自在キャスターを取り付ける事により、この課題を解消する。【選択図】    図２
0003119657.tif 000002
【実用新案登録請求の範囲】
【請求項１】
ナイロンコード草刈り機の防塵カバー及び金具によって、車輪を取り付けた地面置き使用保持具。
【考案の詳細な説明】
【技術分野】
【０００１】  本考案はナイロンコード草刈り機を地面置き状態で使用するための保持具に関する。
【背景技術】
【０００２】  従来のナイロンコード草刈り機は地面から持ち上げて草を刈り払うようになっていた。
【考案の開示】
【考案が解決しようとする課題】
【０００３】  しかし、これでは、草の刈り高さを一定にすることが困難であること。地面から持ち上げて草を刈り払う動作が疲労を伴う作業であること。
【課題を解決するための手段】
【０００４】  そこで、ナイロンコード回転部上部にある防塵カバー側面に２個、前部にはナイロンコード回転円周上に延ばした金具に１個、球形の車輪の前後左右方向自在キャスターを取り付ける。これによって地面置き使用する事を考案した。
【考案の効果】
【０００５】  よって、本考案の地面置き状態で使用するための保持具により、草刈り高さを一定にする事が出来る。地面から持ち上げる動作が不要になり掃除機をかける動作と同じになる。
【考案を実施するための最良の形態】
【０００６】  本考案に係るナイロンコード草刈り機地面置き使用保持具は、図に示すように、従来備えている防塵カバー側面に前後左右方向自在キャスター２個を取り付け、前部にナイロンコード回転円周上まで延ばした金具に前後左右自在キャスター１個を取り付ける。キャスターは柔らかい地面に、めり込まないよう大きめの球形車輪が望ましく、草の刈り高さを調整できるよう、前部キャスターに高さ調節機能があることが望ましい。
【図面の簡単な説明】
【０００７】
【図１】  従来のナイロンコード草刈り機の斜図
【図２】  本考案に係る地面置き使用保持具を使用した状態の斜図
【符号の説明】
【０００８】  １    キャスター
２    キャスター
３    金具
Ｂ    防塵カバー
Ｎ    ナイロンコード
【図１】
0003119657.tif 000003
【図２】
0003119657.tif 000004
【手続補正書】
【提出日】平成17年10月22日(2005.10.22)
【手続補正１】
【補正対象書類名】実用新案登録請求の範囲
【補正対象項目名】全文
【補正方法】変更
【補正の内容】
【実用新案登録請求の範囲】
【請求項１】
防塵カバー及び該防塵カバー前部に取り付けた金具に、車輪を取り付けたことを特徴とするナイロンコード草刈り機。
(57)【要約】【課題】  ワイシャツ等の襟は、洗濯等の度に襟の折り返し部分の折り目が伸びて襟が外へ広がり、だらしない印象を与える。従来であれば、アイロンをかけて形状を整えるが、アイロンをかけるのは時間と手間がかかり面倒であった。  そこで、簡単に襟の形状を整える襟プレスクリップを提供する。【解決手段】  クリップ１で、ワイシャツ等の襟の折り返し部分を挟んで固定することにより折り目を付け、形状を整える。【選択図】  図２
0003119654.tif 000002
【実用新案登録請求の範囲】
【請求項１】
ワイシャツ等の襟の折り返し部分を、挟み固定することにより折り目をつけ、襟の形状を整えるクリップ。
【考案の詳細な説明】
【考案の詳細な説明】
【技術分野】
【０００１】  本考案は、洗濯や収納等によりワイシャツ等の襟の折り返し部分の折り目が伸びて襟が外へ広がるが、襟の折り返し部分を挟み固定することにより折り目をつけ、形状を整えるクリップに関する。
【背景技術】
【０００２】  従来はアイロンをかけて形状を整えていた。
【考案の開示】
【考案が解決しようとする課題】
【０００３】  現在ではアイロン不要の形状記憶タイプのワイシャツ等も数多く存在するが、洗濯等の度に襟の折り返し部分の折り目が伸びて襟が外へ広がり、だらしない印象を与える。従来であれば、アイロンをかけて形状を整えるが、アイロンをかけるのは時間と手間がかかり面倒であった。
【課題を解決するための手段】
【０００４】  本考案の襟プレスクリップは、襟の折り返し部分を挟んで固定でき、安易に脱着が可能なクリップ状のものである。
【考案の効果】
【０００５】  本考案の襟プレスクリップによると、アイロンをかける際のように時間と手間をかけることなく、襟の折り返し部分を挟んで固定するだけで折り目を付け、形状を整えるという効果を奏するものである。
【考案を実施するための最良の形態】
【０００６】  本考案の襟プレスクリップを図面により説明する。図１に示すように、襟の折り返し部分を挟んで固定するクリップ１からなる。
【実施例】
【０００７】  本考案の襟プレスクリップは、ワイシャツ等を洗濯して干す際や収納の際等に、図２に示すようにクリップ１で襟の折り返し部分を挟み固定することにより、形状を整える。
【図面の簡単な説明】
【０００８】
【図１】本考案の襟形状保持クリップの側面図である。
【図２】本考案の実施状態の斜視図である。
【符号の説明】
【００１０】１  クリップ
【図１】
0003119654.tif 000003
【図２】
0003119654.tif 000004
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
ワイシャツ等の襟の折り返し部分を侠着する為の一対の侠着板からなるプレス部分を持ち、且つその侠着板を開閉させる為の開閉手段を有するクリップ。
(57)【要約】      （修正有）【課題】会話を交わす為にマスクを外したり、ずらしたりしないですむ様にマスク着用時に、口元に当る、マスク部分に会話用の開閉口を設け、作業用手袋着用のままで、その開閉部分の開け閉めだけで、会話が出来る様にする。【解決手段】会話用開閉部を作成するために、符号の９は開閉の用途に耐久出来る蝶番とし符号の７と符号の８部は作業用防塵マスクの本来の耐久度に近く伴える強度を持つ物として、符号の３と符号の４が合わさる密閉性は防塵マスクとしての防塵力の確保を確実とした物にする。【選択図】図１
0003119656.tif 000002
【実用新案登録請求の範囲】
【請求項１】
作業用防塵マスクのマスク着用時の会話用で、マスク着用時、口元に当るマスク部分を、話す為に開け閉めする事を特徴とする、作業用防塵マスク用の会話用開閉口。
【考案の詳細な説明】
【技術分野】
【０００１】  作業用の防塵マスク用で、マスク着用時の会話用で、マスク着用時、口元に当るマスク部分に、開け閉めで、会話出来る様に会話用、開閉口を設けた作業用防塵マスク用の会話用開閉口。
【背景技術】
【０００２】  従来の作業用防塵マスクには、防塵フィルタ−のセット用防塵弁は有るが会話用に使用する開閉口を設けられた作業用防塵マスク又はマスクは無い。
【考案の開示】
【考案が解決しようとする課題】
【０００３】  従来の作業用防塵マスクではマスク着用時、作業中、会話を交わすのに、マスク越しでは話がしにくく（聞き取りにくく）会話をハッキリと交わすには、着用している、マスクをずらしたり、外したりし、又掛け直したりして（備考、汚れた作業用手袋を着用したままで、マスクや顔を汚したり又作業用手袋をはずしたりし、）会話を交わすのに手間が掛かり不自由で有った。会話をスム−ズに交わすにはどうしたらよいか。
【課題を解決するための手段】
【０００４】  会話を交わす為にマスクを外したり、ずらしたりしないですむ様に、マスク着用時に、口元に当るマスク部分に会話用の開閉部を設け、（備考、作業用手袋着用のままでも）その開閉部分の開け閉めだけで会話出来る様にする。
【考案の効果】
【０００５】  従来では、作業用防塵マスクの着用時に会話をハッキリと交わすには、マスクをずらしたり、外したり、掛け直したりして、（備考、汚れた作業用手袋を着用したままで、マスクや顔を汚したり又作業用手袋をはずしたりし、）手間が掛かったが、本考案の内容により、会話を交わしたい時には（備考、作業用手袋着用のままで）会話用開閉部を開け閉めするだけで作業中の会話が手間なく、スム−ズに交わす事が出来る様に成る。
【考案を実施するための最良の形態】
【０００６】  本考案は、従来の作業用防塵マスクでは作業用防塵マスクに会話を行なう事に適合する造りが組み込まれておらず、作業用防塵マスクの着用をし会話を交わす事は、防塵マスクにより会話が塞がれ発声が会話相手に届かず会話相手に聞き取る事が出来る発声が成立せず、会話相手と会話を成立させる為には、作業用防塵マスクをずらして発声を行なうか外して発声を行なわなければいけないのである、そして会話終了後には又作業用防塵マスクを掛けなおす所作を行なわなければいけないのである。
その作業用防塵マスクを外したり、掛け直したりする所作に伴う作業中の条件の内には作業用防塵マスクを着用する作業には身体を安全に防護を行なうヘルメットや作業用安全手袋の着用の必要を迫られる作業が殆どの割合で義務ずけられる作業が多く、ヘルメットや作業用安全手袋の着用を伴う作業が多くの割合で占めている条件になり、多くの作業用安全手袋は作業により汚れている物である。
作業中に作業用防塵マスクを会話を行なう為にずらしたり、外したり、掛け直したりする所作の内には、先ず汚れた作業用安全手袋を外し（汚れた作業用安全手袋を着用のまま作業用防塵マスクを外したり、ずらしたり掛け直す所作には作業用防塵マスクを汚し、着用している顔の部分も汚し、作業に伴い着用しているヘルメットも必然として汚れるのである）そして会話を行なう為に作業用防塵マスクをずらしたり、外し会話を行い、会話終了後には作業用防塵マスクを掛け直し、着用のヘルメットも掛け直す所作も必要となり、最後に作業用安全手袋を着用しなおすという所作が要される事になるのである。
そこから先ず、作業用防塵マスクを会話を行なう際にずらしたり、外したりする事なく、（追加事項として、汚れた作業用安全手袋を着用したままでも）口元に当る部分に会話用開閉口を設け、マスク本体を着用時から動かす事無く、会話用開閉口の開け閉めだけで会話を行なう事が出来る様に造り、開閉用部分だけを触れる事により最小限の汚れに止まる事が可能の開閉部を造る。
図面で説明すると符号の３と符号の４を開け閉める事により作業用防塵マスクを着用をしたままで会話を可能にする事にし（汚れた作業用安全手袋着用のままでも開閉可能）符号の４と符号の７部をより汚れた作業用安全手袋着用のままでも開閉が行いやすくなる形状の物にしてもよい。
会話用開閉部を作成するにあたる要項は、符号の９は開閉の用途に耐久出来る蝶番とし符号の７と符号の８部は作業用防塵マスクの本来の耐久度に近く伴える（頻繁に開け閉めする事を前提として）強度を持つ物として、符号の３と符号の４が合わさる密閉性は防塵マスクとしての防塵力を確保を確実とした物にする。
【実施例】
【０００７】  本考案の実施例は図面に基づき説明する。
図１は、本考案の内容の、作業用防塵マスク例の、側面図である。
図２は、本考案の内容の会話用開閉部開き時と防塵フィルタ−部脱図とマスク例本体側面図。
６と４で５を狭み固定し、６、５、４でセットとして防塵フィルタ−部とする。６、５、４の防塵フィルタ−部セットを会話用開閉部、開閉側とし、３をマスク、本体側の会話用開閉部土台とし、９で一定に繋いでおく。
７と８を以て会話用開閉部掛け止め部とする。
【図面の簡単な説明】
【０００８】
【図１】  本考案内容のマスク例本体を示したマスク本体側面図である。
【図２】  本考案内容の会話用開閉部、開き時と、防塵フィルタ−部、脱図とマク例本体を示したマスク本体側面図である。
【符号の説明】
【０００９】１  マスク本体
２  マスクバンド部
３  マスク本体側会話用開閉土台
４  防塵フィルタ−装着受部兼、会話用開閉部開閉側
５  防塵用フィルタ−
６  酸素吸入部兼、防塵フィルタ−装着押さえ部
７  会話用開閉部、開閉側、掛け止め部
８  会話用開閉部、マスク本体側掛け止め部
９  ちょうつがい（蝶番）
【図１】
0003119656.tif 000003
【図２】
0003119656.tif 000004
【手続補正書】
【提出日】平成17年11月14日(2005.11.14)
【手続補正１】
【補正対象書類名】実用新案登録請求の範囲
【補正対象項目名】全文
【補正方法】変更
【補正の内容】
【実用新案登録請求の範囲】
【請求項１】
作業用防塵マスクのマスク着用時の会話用で、マスク着用時、口に当たるマスク部分を、話す為に開け閉めする事が可能な会話用開閉口を有する作業用防塵マスク。
(57)【要約】      （修正有）【課題】幼児や児童が履物を履く際に起きやすい蝶々履きを防止し、且つ左右の中敷が差し違えないようにするとともに、左右正しく履くことができる履物の提供。【解決手段】一つの図柄が左右に分割され、且つ、それぞれの分割図柄を印刷したシールを、左右それぞれの履物本体の任意の位置に、その図柄が一つの完成する様に貼着し、これにより蝶々履き防止と図柄が外れないようにする。【選択図】図４
0003119681.tif 000002
【実用新案登録請求の範囲】
【請求項１】
一つの図柄が左右に分割され、且つ、それぞれの分割図柄を印刷したシールを構成し、この
分割図柄シールを、左右それぞれの履物本体の任意の位置に、その図柄が一つの完成する様に貼着したことを特徴とした履物。
【請求項２】
左右の分割図柄シールを、履物本体のかかとが接する内底部に貼着した事を特徴とした請求項１記載の履物。
【請求項３】
履物本体の足先部分に左右分割シールを貼着させた事を特徴とした請求項１記載の履物。
【請求項４】
図柄が動物、植物、乗物、又はキャラクターの図柄である事を特徴とした請求項１〜３記載の履物。
【考案の詳細な説明】
【技術分野】
【０００１】
本考案は、一つの図柄を左右に分割し、おのおのを履物本体に付して、幼児や児童が履物を履く際に起きやすい所謂蝶々履きと呼ばれる左右の履物の履き違えを防止し、左右正しく履物を履く事が出来るようにした履物に関する。
【背景技術】
【０００２】
この種、蝶々履きを防止する為に履物本体の中敷に左右に分割された図柄を印刷したものが下記文献のごとく存在する。ところでこのものは、中敷を自分自身で誤って差し違えることや、更には、幼稚園や保育園等では、他人がイタズラで差し違えて思わぬ事故につながることもある。又、偶然に中敷が抜け出たり、紛失したりする事や、更には、中敷のものではそのサイズに合わせてハサミによる切断の手間も伴う。
【特許文献１】実用新案登録第３１０１３１３号
【考案の開示】
【考案が解決しようとする課題】
【０００３】
本考案の課題とするところは、幼児や児童が履物を履く際に起きやすい蝶々履きを防止し、且つ左右の中敷が差し違えないようにするとともに、左右正しく履物を履くことができるようにする。
【課題を解決するための手段】
【０００４】
本考案は、前記課題を解決するために工夫されており、より詳しくは、一つの図柄が左右に分割され、且つ、それぞれの分割図柄を印刷したシールを、左右それぞれの履物本体の任意の位置に、その図柄が、一つの完成する様に貼着し、これにより蝶々履き防止と図柄がはずれないようにする。
【考案の効果】
【０００５】
請求項１により、幼児が履物を履く際に起きやすい一般的に蝶々履きと呼ばれる左右の履き違えを防止できると共に、而も直接本体に貼り付けているので、幼児自身が左右を逆に差し替える等のイタズラやその為に起こる事故の防止にもなり、又簡単に抜け出たりして紛失してしまうこともない。
（２）請求項３及び４により、靴の足先に左右の図柄を合わせ、一つの図柄になるように貼着させる事により、かかとにその図柄が位置するものと比し、常に目の届く位置に動物や乗物などの図柄がある為、意識することにより、愛着を持ち情操教育を高めることができる。
【考案を実施するための最良の形態】
【０００６】
以下、本考案を図面を参照にしてより具体的に説明する。
【実施例１】
【０００７】
図１は、一つの図柄2を左右に分割して、印刷したシール１であって、左右それぞれに分割図柄2a、2bが示されている。更に図2に示す如く、この分割図柄2a、2bを印刷した分割シール1a、1bをそれぞれ履物本体Ｘ、Ｙのかかとが接する内底部Ｘa、Yａに貼着している。
【実施例２】
【０００８】
図３、は異なる実施例を示しており、履物本体Ｘ、Ｙの足先部分Ｘb、Yｂに分割図柄２a、２bを印刷した分割シール１a、１bを貼着している。
【実施例３】
【０００９】
図４は、更に異なる実施例を示し、履物本体Ｘ、Ｙをサンダルとしている。
【００１０】
図５は、印刷したシール１a、１bを動物の図柄２a、２bとしており、図6は乗物の図柄２a、２bとしている。
【００１１】
図7は、印刷シール１の拡大断面図であって、接着剤３及び離形シート４より成している。
【図面の簡単な説明】
【００１２】
【図１】分割図柄シールを内底部に貼着させた履物本体を示した平面図
【図２】同上の断面図
【図３】それぞれ異なる実施例を示す
【図４】それぞれ異なる実施例を示す
【図５】それぞれ異なる実施例図
【図６】それぞれ異なる実施例図
【図７】分割図柄シールの拡大断面図
【符号の説明】
【００１３】
Ｘ  左側履物本体
Ｙ  右側履物本体
１  分割図柄シール
２  図柄
【図１】
0003119681.tif 000003
【図２】
0003119681.tif 000004
【図３】
0003119681.tif 000005
【図４】
0003119681.tif 000006
【図５】
0003119681.tif 000007
【図６】
0003119681.tif 000008
【図７】
0003119681.tif 000009
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
一つの図柄が左右に分割され、且つ、それぞれの分割図柄を印刷したシールを構成し、この分割図柄シールを、左右それぞれの履物本体の任意の位置に、その図柄が一つに完成する様に貼着したことを特徴とした履物。
【請求項２】
左右の分割図柄シールを、履物本体のかかとが接する内底部に貼着した事を特徴とした請求項１記載の履物。
【請求項３】
履物本体の足先部分に左右分割シールを貼着させた事を特徴とした請求項１記載の履物。
【請求項４】
図柄が動物、植物、乗物、又はキャラクターの図柄である事を特徴とした請求項１〜３記載の履物。
(57)【要約】      （修正有）【課題】棚を複数使用する時に小床面積で実施できる。【解決手段】１段目の左フレーム棚部フック及び右フレーム棚部フックに２段目の左フレーム脚部ホルダー及び右フレーム脚部ホルダーをセットし順次積み重ねる事により小床面積で複数の使用を可能にした。【選択図】図５
0003119682.tif 000002
【実用新案登録請求の範囲】
【請求項１】
左フレーム及び右フレームの棚部にフックを取り付け前記左フレーム及び前記右フレームの脚部にホルダーを取付ける事により積み重ねが可能なスライド棚。
【考案の詳細な説明】
【技術分野】
【０００１】本考案は台所等の小物や玄関等で靴等履物類を整理収納する時に利用するスライド棚に関する物である。
【背景技術】
【０００２】従来から台所等の小物や玄関等で靴等履物類を整理収納する時のスライド棚があった。
【考案の開示】
【考案が解決しようとする課題】
【０００３】従来の物は大数量の小物を整理収納する時には平面に複数のスライド棚を置く為に大床面積が必要である。
【課題を解決する為の手段】
【０００４】第１段目の符号▲１▼−▲１▼及び▲２▼−▲１▼に第２段目の符号▲１▼−▲２▼及び▲２▼−▲２▼をセットして順次積み重ねる事により大数量の小物を小面積で整理収納する事を可能にした。
【考案の効果】
【０００５】従来の物は複数使用時には大床面積を要したが本考案の積み重ねにより小床面積で複数のスライド棚の使用を可能にした。
【考案を実施する為の最良の形態】
【０００６】［図１］正面図
［図２］左側面図
［図３］右側面図
［図４］部品図
［図１〜４］の符号
▲１▼            左フレーム
▲１▼−▲１▼    左フレーム棚部フック
▲１▼−▲２▼    左フレーム脚部ホルダー
▲２▼            右フレーム
▲２▼−▲１▼    右フレーム棚部フック
▲２▼−▲２▼    右フレーム脚部ホルダー
［図５］従来の物の図及び今回考案の物の図
【図面の簡単な説明】
【０００７】
【図１】正面図
【図２】左側面図
【図３】右側面図
【図４】部品図
【図５】従来の物の図及び今回考案の物の図
【符号の説明】
【０００８】▲１▼            左フレーム
▲１▼−▲１▼    左フレーム棚部フック
▲１▼−▲２▼    左フレーム脚部ホルダー
▲２▼            右フレーム
▲２▼−▲１▼    右フレーム棚部フック
▲２▼−▲２▼    右フレーム脚部ホルダー
【図１】
0003119682.tif 000003
【図２】
0003119682.tif 000004
【図３】
0003119682.tif 000005
【図４】
0003119682.tif 000006
【図５】
0003119682.tif 000007
(57)【要約】      （修正有）【課題】顔写真入りの認識票を常時携帯することにより災害時、万一時の際本人確認が容易にとれ、病院や警察の迅速な対応を可能とする。【解決手段】診療情報等個人情報を登録することにより受入れ先の病院や警察に確実な情報を提供できる。情報は２４時間体制で対応する会社をセンターとし登録料、入会金を支払登録する。認証票に保証をつけるため保証金を預かる。保証金により緊急時の所持金が無いときに一定金額を保証し相手先に支払う事が出来る。【選択図】図１
0003119683.tif 000002
【実用新案登録請求の範囲】
【請求項１】
表面に本人の顔写真をエッチングし、裏面に登録番号、登録会社の連絡先を記し、これ自体に金銭的な保証をつけることで個人情報を管理することと同時に、第三者に対して経済的な保証をすることを特徴とする認識票。
【考案の詳細な説明】
【技術分野】
【０００１】  本考案は、顔写真入りの認識票で万一時にも本人確認が容易に出来、且つ登録会社から保証制度を付ける為、所持金のない緊急時などにも一定の金額で診療費、タクシー代などを払う事が出来るものである。
【背景技術】
【０００２】  一般的にいうと写真付き身分証は原則として免許証、パスポート以外ない。
【考案の開示】
【考案が解決しようとする課題】
【０００３】  この考案は従来の写真付き身分証明書には緊急連絡先の明記が無く万一時の連絡先も警察だったがその対応に時間がかかる、また遺体の場合には本人確認が出来ないと死亡確認が出来ずその後の相続などにも影響が出てしまう、また救急の病人などが従来より病院等にかかっている場合にはその病歴診療情報が受入れ先の病院に伝わらない。つまり緊急連絡先、診療情報等個人情報を事前に登録会社に登録し、それを登録番号で管理をし、顔写真の入っている認識票を常時携帯することで前述の課題を解決しようとするものである。
【考案の開示】
【課題を解決するための手段】
【０００４】  本考案は課題を解決するため登録会社として警備会社など２４時間対応の可能な会社のセンター等に個人情報、持病、掛かり付け病院、常備薬等診療重要事項を事前に登録し登録番号で管理をする。顔写真入りの認識票に登録番号、緊急問合せ先を明記し携帯することによって災害時、万一時には確実な本人確認が容易となり迅速な対応が取れる事を特徴とするものである。且つ認識票に保証を付けるために登録時に入会金、登録料とともに保証金を預かり、緊急時所持金の無い場合の診療代、タクシー代など一定の金額を登録会社経由で支払えることができ、受入れ先、当事者双方の不安を解決しようとするものである。
【考案の効果】
【０００５】  上述の考案により顔写真入りの認識票を常時携帯することによって、災害、万一時に容易に本人の確認、緊急連絡先、使用している薬等診療情報が直ちに把握でき迅速な対応を取るころが可能となる。
【考案を実施するための最良の形態】
【０００６】  本考案は顔写真の入っている認識票を常時携帯することによって災害時、万一時に診療情報等個人情報を２４時間対応の会社に登録することによって本人の確認が容易に取る事が出来る。登録には入会費、登録料の他保証金を預かり、所持金の無い緊急時には一定金額を保証するものとする。年一度の更新時には内容の確認、変更等をする。
それ以外の場合には別途変更料が発生する。
【実施例】
【０００７】  以下、添付書類に従って一実施例を説明する。図１はこの本体１は認識票の表面部の説明図で主に顔写真をコンピューター処理によりエッチングしたものである。
図２はこの本体の裏面部の説明図で主に緊急連絡先、登録番号が記載してあるものでありともに焼失しない且つ携帯に軽い素材により作られている。【０００８】「他の実施形態」
本考案の一実施例は上述の如き構成からなるものであるから本体認識票首から掛けて所持をすることも勿論である。
【図面の簡単な説明】
【０００９】
【図１】本考案顔写真つき認識票正面図である。
【図２】本認識票裏面図である。
【符号の説明】
【００１０】    １  認識票本体
２  顔のエッチング
３  登録連絡先
４  登録番号
【図１】
0003119683.tif 000003
【図２】
0003119683.tif 000004
(57)【要約】      （修正有）【課題】磁石製のおはじき状のものを、並べて増やしたり減したりしながら、たし算及びひき算の計算練習を、体験的視覚的意識的に分かりやすく学習できる教具を提供する。【解決手段】  表１−ａと裏１−ｂの２色に色分けされた二つ折りのマグネット板１のそれぞれに、横に５つ縦２列の１０この枠２があり、１０までの数を数えたり計算したりするときには片面を使用し、２０までの数を数えたり計算したりするときには開いて両面を使用し、表と裏２色の２０個の磁石製のおはじき状のもの３を、並べて増やしたり減したりしながら、たし算及びひき算の計算練習を、体験的視覚的意識的に分かりやすく学習できる教具。【選択図】図１
0003119647.tif 000002
【実用新案登録請求の範囲】
【請求項１】
表と裏の２色に色分けされた二つ折りのマグネット板のそれぞれに、横に５つ縦２列の１０この枠（穴）があり、１０までの数を数えたり計算したりするときには片面を使用し、２０までの数を数えたり計算したりするときには開いて両面を使用し、表と裏２色の２０個の磁石製のおはじき状のもの（ブロック）を、並べて増やしたり減したりしながら、たし算及びひき算の計算練習を、体験的視覚的意識的に分かりやすく学習できる教具。なお、２０個の磁石製のおはじき状のもの（ブロック）は、二つ折りのマグネット板の中にしまっておくことができる。
【考案の詳細な説明】
【考案の詳細な説明】
算数学習を始めるにあたっては、具体物であるチューリップ３本や車３台を抽象的な３という数字へと置き換える能力が必要とされる。そのため小学校の低学年では、具体物が描かれた絵や写真を見せて、それと同じ数だけのおはじきや数え棒やブロックなどを半具体物として体験的に操作させながら、数字へと抽象化させる学習が行われる。例えば、ブロック３個を置かせて、それを３として、数字の３をノートに書かせ練習させていくのである。
そして、たし算及びひき算という計算へと発展していく。１０までのたし算及び、１０までの数からのひき算については、すでに、横に５個縦に２列の１０枠の練習器が市販されている。
しかし、子どもたちが算数の計算において大きなつまづきを感じ始めていくのは、くり上がりのたし算やくり下がりのひき算になってからである。４＋３はできても８＋３はできにくいのである。なぜなら今まで市販されている練習器では、１０までの枠はあっても、２０までの枠がない。そのため４＋３ではバラバラのブロックを４個と３個置かせて７個だから７と練習できるが、８＋３ではバラバラのブロック８個と３個を置かせてバラバラのブロックが１１個あるという練習ができにくいため、代用的に１０のかたまりとして図化されたものとバラ１個で１１というように練習させられていく。そのため十分な練習体験と視覚化ができにくく、くり上がりのたし算やくり下がりのひき算でつまづいていくのではないかと考えた。
そこで、２０までの数の計  算練習を十分に、具体的体験的視覚的にできるようにと、本実用新案を考えた。
この実用新案は、表と裏に２色に色分けされた二つ折りのマグネット板のそれぞれに、横に５つ縦２列の１０この枠（穴）があり、１０までの数を数えたり計算したりするときには片面を使用し、２０までの場合には開いて両面を使用し、表と裏２色の２０個の磁石製のおはじき状のもの（ブロック）を、並べて増やしたり減したりしながら、たし算及びひき算の計算練習を、体験的視覚的意識的に分かりやすく学習できる教具である。
例えば、８＋３であれば、マグネット板を開いて上の１０枠の中に８個の磁石製のおはじき状のものを置き、下の１０枠の中に裏返して色を変えた３個の磁石製のおはじき状のもの（ブロック）を置き、下枠の３個の中の２個を上の枠に持っていけば、上の枠には１０個そろい下の枠には１個残り、合わせて１１個となるのである。上の枠に持っていった２個を始めのままの色にしておけば、８個と３個で１１個と意識化させられるし、上の枠に持っていった２個を裏返して８個の色と同じにさせれば１０個のまとまりと残りの１個として意識化させやすい。
また、１１−３であれば、上の枠には１０個下の枠には１個合わせて１１個置かせ、上の枠の１０個から３個取らせれば、残り７個と下の枠の１個とを合わせて８個と練習させるのである。その時に、始めに１１個置かせた後に、引くための３個を裏返させ色を変えさせる手順をふませれば、視覚的にも残り７個と下の枠の１個とが合わせて８個であることが分かりやすいはずである。
この実用新案を使って、くり上がりのたし算やくり下がりのひき算の学習を、具体的に体験的に視覚的に意識的にくり返し練習させれば、子どもたちにとって分かりやすく、計算力もつきやすいと考えた。
【図面の簡単な説明】
【図１】  本考案の斜視図である。
【図２】  本考案の使用中の斜視図である。
【符号の説明】
（１）は表と裏の２色に色分けされた二つ折りのマグネット板
（１−ａ）は表（１−ｂ）は裏
（２）は横に５つ縦２列の１０この枠（穴）
（３）は表と裏２色の２０個の磁石製のおはじき状のもの（ブロック）
（４）は開け閉めのためのつまみ
【図１】
0003119647.tif 000003
【図２】
0003119647.tif 000004
【手続補正書】
【提出日】平成17年8月17日(2005.8.17)
【手続補正１】
【補正対象書類名】実用新案登録請求の範囲
【補正対象項目名】全文
【補正方法】変更
【補正の内容】
【実用新案登録請求の範囲】
【請求項１】
表と裏の２色に色分けされた二つ折りのマグネット板のそれぞれに、横に５つ縦２列の１０この枠（穴）があり、１０までの数を数えたり計算したりするときには片面を使用し、２０までの数を数えたり計算したりするときには開いて両面を使用し、表と裏２色の２０個の磁石製のおはじき状のもの（ブロック）を、並べて増やしたり減したりしながら、たし算及びひき算の計算練習を、体験的視覚的意識的に分かりやすく学習できる教具であり、２０個の磁石製のおはじき状のもの（ブロック）は、二つ折りのマグネット板の中にしまっておくことができる。
【手続補正書】
【提出日】平成17年10月27日(2005.10.27)
【手続補正１】
【補正対象書類名】実用新案登録請求の範囲
【補正対象項目名】全文
【補正方法】変更
【補正の内容】
【実用新案登録請求の範囲】
【請求項１】
表と裏の２色に色分けされた二つ折りのマグネット板の表と裏に、横に５つ縦２列の１０この枠があり、１０までの数を数えたり計算したりするときには片面を使用し、２０までの数を数えたり計算したりするときには開いて両面を使用し、表と裏２色の２０個の磁石製ブロックを並べて増やしたり減したりしながら、たし算及びひき算の計算練習を、体験的視覚的意識的に分かりやすく学習できる教具であり、２０個の磁石製ブロックは二つ折りのマグネット板の中にしまっておくことができることを特徴とする教具。
(57)【要約】      （修正有）【課題】車両にフロントブレーキランプを装着し交通事故を未然に防ぐ。【解決手段】リヤーブレーキランプ５の配線をフロントブレーキランプ１にも複合させる事によりランプを歩行者又は自転車に車両の制動状況を認知させ安全を図るものである。狭い道路にて、同時に対向する車両にもこのランプを点灯させ道路をゆずりあいながら相互の車両を安全に走行するものである。その他、出会い頭の事故、交差点による事故も防ぐ事が出来ます。【選択図】図１
0003119645.tif 000002
【実用新案登録請求の範囲】
【請求項１】
車両制動前部灯火標示装置
上記、フロントブレーキランプと略す。
【考案の詳細な説明】
【技術分野】
【０００１】  本考案は、車両のブレーキランプに関するものである。
【背景技術】
【０００２】  現在、車両にはリヤーブレーキランプしか装着していない。
【考案の開示】
【考案が解決しようとす課題】
【０００３】  人類は２１世紀に入り人も車も増える一方交通事故の犠牲者が後を絶たない現実に少しでも安全な車を開発し本案が大切な人の命を救う事が可能になります事を目的としました。
【課題を解決するための手段】
【０００４】  本考案は車両にフロントブレーキランプを取り付け前方の歩行者、又は自転車に車両の制動状況を認知させ安全を図るものである。いわゆる人に優しい車を製作したものである。
【考案の効果】
【０００５】  本考案のフロントブレーキランプは路上における人身事故が減る事は勿論、交差点における車両同士の円滑でスムーズな走行等、事故防止に役立つ。
【考案の実施するための最良の形態】
【０００６】  私の専門外の事で必ずしもそれが良いとは限りませんが、車両の前の中心部すなわち車両の各メーカーのトレードマークにはめ込むと良いと思われます。左右２個に付けた場合、右折左折の合図と錯覚されやすい。尚、ランプの色も専門外の事で良くわかりませんが、緑、青、又は紫が適当と思われます。
【実施例】
【０００７】  現在の自動車法規上、このフロントブレーキランプは装着して走行する事は出来ないが、あふれる道路上の人と車の走行は混乱する町の中におのずと必要と認めざるを得なくさせるに違いありません。
【図面の簡単な説明】
【０００８】
【図１】フートブレーキペダルを踏むとリヤーブレーキランプとフロントブレーキランプが同時に付く。
【符号の説明】
【０００９】１  フロントブレーキランプ
２  ヘッドライト
３  方向指示機
４  車幅灯
５  リヤーブレーキランプ
６  バックランプ
【図１】
0003119645.tif 000003
【図２】
0003119645.tif 000004
【手続補正書】
【提出日】平成17年11月10日(2005.11.10)
【手続補正１】
【補正対象書類名】実用新案登録請求の範囲
【補正対象項目名】全文
【補正方法】変更
【補正の内容】
【実用新案登録請求の範囲】
【請求項１】
フットブレーキを踏むことにより、前部のブレーキランプが点灯することを特徴とする車両。
【手続補正２】
【補正対象書類名】明細書
【補正対象項目名】０００８
【補正方法】変更
【補正の内容】
【０００８】
【図１】図１の５は、リヤーブレーキランプであるがこのランプが点灯すると同時に図１の１のフロントブレーキが点灯する。
【図２】フットブレーキを踏むと図１の１，５  図２の１図３の５が同時に点灯する。
【図３】図３の３は、方向指示器である。図３の４は、車幅灯である。図３の５は、リヤーブレーキランプである。図３の６は、バックランプである。
【手続補正３】
【補正対象書類名】図面
【補正対象項目名】図２
【補正方法】変更
【補正の内容】
【図２】
0003119645.tif 000005
【手続補正４】
【補正対象書類名】図面
【補正対象項目名】図３
【補正方法】変更
【補正の内容】
【図３】
0003119645.tif 000006
(57)【要約】      （修正有）【課題】多種多様の窓に適合し、取り付けや取り外しが簡単で、見栄えがよく、コストもかからないマジックテープ（登録商標）を使用した車用網戸の提供。【解決手段】どんな窓でも形に合わせて布製の網１をカットし、両面テープ付きのマジックテープ（登録商標）２で窓枠に貼り付ける事により  コストもあまり掛からず簡単に付け外しも出来るようになった。【選択図】図１
0003119644.tif 000002
【実用新案登録請求の範囲】
【請求項１】
両面テープ付きマジックテープを使う事により簡単に付け外しが出来、布製の網を使う事により簡単に窓枠に合わせカットが出来る。
【考案の詳細な説明】
【技術分野】
【０００１】  この考案は、虫除け網を色々な形の車の窓に取り付け、取り外しが簡単に出来る物である。
【背景技術】
【０００２】  従来の車用網戸は、見栄えが悪く付け外しが困難であまり販売されていない。
【考案が解決しようとする課題】
【０００３】  車の窓は、車種により多種多様な窓が有り、虫除け網を取り付けるには大変困難なものでコストも掛かっていた。
【課題を解決する為の手段】
【０００４】  網は、各窓に合わせてカットが出来る布製の素材で、両面テープ付マジックテープを窓枠に貼り付ける事により、見栄えも良くコストも安くどんな車種の窓にも取り付けが出来る物である。
【考案の効果】
【０００５】  車中で休息する時、窓を開けたままでも虫の侵入を防ぎエンジンを止める事により、省エネ、騒音、排気ガスによる環境問題も減少出来る。
【考案を実施する為の最良の形態】
【０００６】  図１の▲２▼両面テープ付きマジックテープを窓枠に取り付け▲１▼マジックテープに付く布製の網を付け、窓に合わせて自由にカットし取り付け出来る。
【図面の簡単な説明】
【０００７】
【図１】  使用時の正面図
【図２】  収納時の正面図
【符号の説明】
【０００８】  ▲１▼  布製の網
▲２▼  両面テープ付きマジックテープ
▲３▼  マジックテープ付き帯
【図１】
0003119644.tif 000003
【図２】
0003119644.tif 000004
【手続補正書】
【提出日】平成17年8月3日(2005.8.3)
【手続補正１】
【補正対象書類名】実用新案登録請求の範囲
【補正対象項目名】全文
【補正方法】変更
【補正の内容】
【実用新案登録請求の範囲】
【請求項１】
虫除け網を車の窓枠に合わせてカットし、両面テープ付きのマジックテープ（登録商標）を窓枠に取り付け、張り合わせる事で簡単に取り付け取り外しが出来る。
【手続補正２】
【補正対象書類名】明細書
【補正対象項目名】全文
【補正方法】変更
【補正の内容】
【考案の詳細な説明】
【技術分野】
【０００１】  この考案は、虫除け網を色々な形の車の窓に取り付け、取り外しが簡単に出来る物である。
【背景技術】
【０００２】  従来の車用網戸は、見栄えが悪く付け外しが困難であまり販売されていない。
【考案が解決しようとする課題】
【０００３】  車の窓は、車種により多種多様な窓が有り、虫除け網を取り付けるには大変困難なものでコストも掛かっていた。
【課題を解決する為の手段】
【０００４】  網は、各窓に合わせてカットが出来る布製の素材で、両面テープ付のマジックテープ（登録商標）を窓枠に貼り付ける事により、見栄えも良くコストも安くどんな車種の窓にも取り付けが出来る物である。
【考案の効果】
【０００５】  車中で休息する時、窓を開けたままでも虫の侵入を防ぎエンジンを止める事により、省エネ、騒音、排気ガスによる環境問題も減少出来る。
【考案を実施する為の最良の形態】
【０００６】  図１の▲２▼両面テープ付きのマジックテープ（登録商標）を窓枠に取り付け▲１▼マジックテープ（登録商標）に付く布製の網を付け、窓に合わせて自由にカットし取り付け出来る。
【図面の簡単な説明】
【０００７】
【図１】  使用時の正面図
【図２】  収納時の正面図
【符号の説明】
【０００８】  ▲１▼  布製の網
▲２▼  両面テープ付きのマジックテープ（登録商標）
▲３▼  マジックテープ（登録商標）付き帯
【手続補正書】
【提出日】平成17年11月16日(2005.11.16)
【手続補正１】
【補正対象書類名】実用新案登録請求の範囲
【補正対象項目名】全文
【補正方法】変更
【補正の内容】
【実用新案登録請求の範囲】
【請求項１】
車の窓枠に合わせ  カットされた虫除け網、窓枠に取り付けられた両面テープ付きマジックテープ（登録商標）よりなり、虫除け網と両面テープ付きマジックテープ（登録商標）で  取り付け、取り外しが簡単に出来る車用網戸。
(57)【要約】      （修正有）【課題】床及び棚に置かれていたボトルを、使用し易い位置に、衛生的に設置可能とするボトルハンガーの提供。【解決手段】突起付き又は差し込み型バーの両脚に吸盤を付けてつくったボトルハンガー。【選択図】図１
0003119649.tif 000002
【実用新案登録請求の範囲】
【請求項１】
浴室で使用するシャンプー、ボディーソープ等のボトルを吊り下げて設置する器具。
【考案の詳細な説明】
【技術分野】
【０００１】この考案は、浴室に於けるシャンプー等のボトル容器を吊り下げて設置する、ボトルハンガーに関するものである。
【背景技術】
【０００２】従来、ボトルは床又は棚に置かれていた。
【考案の開示】
【考案が解決しようとする課題】
【０００３】これはつぎのような問題点があった。
床又は棚置きボトルはボトルの底に水垢が付着し、容器の底及び床にカビ発生の原因を作り、浴室床清掃の際移動しなければならない不便さがあった。
本考案は、以上の欠点をなくすためになされたものである。
【課題を解決するための手段】
【０００４】容器の頭を引っ掛けて設置するか、容器の首を差し入れて設置することにより、ボトルを床、棚に置かずに吊り下げる事が出来る。
【考案の効果】
【０００５】ボトルを使用しやすく、安定した状態で設置出来、床又は棚に接面しない為、乾燥状態がよく、カビがはえない。
【考案を実施するための最良の状態】
【０００６】樹脂又は金属性のボトルハンガーを作成する。吸着版で浴室壁に設置された横棒状のものに突起を付けるか、切込みを入れるかの方法により、ボトルを頭で引っ掛けるか、首を差し入れることにより吊り下げ状態にすることが出来る。
【図面の簡単な説明】
【０００７】
【図１】  容器の頭を引っ掛ける設置器の図。
【図２】  容器の頭を引っ掛ける設置器の使用例。
【図３】  容器の首を差し入れる設置器の図。
【図４】  容器の首を差し入れる設置器の使用例。
【符号の説明】
【０００８】  １．丸い突起
２．首を差し入れる切込
【図１】
0003119649.tif 000003
【図２】
0003119649.tif 000004
【図３】
0003119649.tif 000005
【図４】
0003119649.tif 000006
【手続補正書】
【提出日】平成17年9月23日(2005.9.23)
【手続補正１】
【補正対象書類名】実用新案登録請求の範囲
【補正対象項目名】全文
【補正方法】変更
【補正の内容】
【実用新案登録請求の範囲】
【請求項１】
シャンプー、ボディーソープ等のボトルを吊り下げて設置する器具。横棒状の部材と、この部材に付けられた突起とを備え、前記突起にボトルの頭を引掛けることで、ボトルを吊り下げ可能なボトルハンガー。
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
横棒状の部材と、この部材に付けられた突起とを備え、前記突起にボトルの頭を引掛けることで、ボトルを吊り下げ可能なボトルハンガーを備えてなる、シャンプー、ボディーソープ等のボトルを吊り下げて設置する器具。
(57)【要約】      （修正有）【課題】水稲栽培における田植え作業時、圃場での苗箱の小運搬作業の効率化と運搬具の安定した自立状態を確保する。【解決手段】水稲苗箱２枚を格納できる軽量な枠型の、手持ち形運搬具とし、両手で持てば、一度に４〜６枚の苗箱の運搬を可能にして効率化する。また、足の形状を適度の鋭角に尖らせて、圃場の畦畔での置き場の形状に拘らず、幾分突き刺させて、安定した自立状態を確保できる。【選択図】図１
0003119680.tif 000002
【実用新案登録請求の範囲】
【請求項１】
田植え機に供給する水稲苗箱を手運搬するため、２〜３枚の水稲苗箱を格納できる、４本足つきの手提げ形の水稲苗箱手提げ運搬具。
【請求項２】
この運搬具の４本の足の部分を土に刺さるべく、先端を幾分鋭利に加工した形状
の水稲苗箱手提げ運搬具。
【考案の詳細な説明】
【技術分野】
【０００１】
本考案は田植え機に使用する水稲苗箱の手提げ運搬具に関する。
【背景技術】
【０００２】
従来は両手持ち若しくは両脇に抱え持ちで、１枚若しくは２枚を運んでいた。
【考案の開示】
【考案が解決しようとする課題】
【０００３】
農業における田植え作業は、田植え機による育苗済の苗箱を使った作業が一般化している。
田植えに必要な大量の苗箱は、トラック等により、圃場までは運搬できるものの、それを降ろし畦畔を小運搬して、田植え機に供給する作業が必要である。
苗箱は重ねると苗が折れて傷むので、重ねられず、１枚の苗箱を両手で前かがみに持つか１枚ずつ２枚を両脇に抱えて何度も往復し運搬しなければならず、著しく非効率的な作業となっているのが現状である。また、苗箱の持ち方で苗のずれやはがれ等、苗そのものの損傷も招き易く無駄を発生させていた。
一方、田植え機は一度に４枚〜６枚の苗箱を消費してゆくため、苗箱運搬は非常に忙しくなり、山間部の圃場やトラックから遠い圃場では、特にこの作業は著しく疲れるうえ、田植え作業の能率を大きく左右しているため、大幅な効率化が求められている。
また、圃場の畦畔の形状も多種多様であり、各種の条件の違いに対応しなければならない。
【課題を解決するための手段】
【０００４】
これに対し２〜３枚の苗箱を縦型の斜めの棚状に格納できる、手提げ式の軽便な運搬具を考案した。
また、４本の足の形状を適度の鋭角にして、幾分、圃場の畦畔の土に刺さるようにした。
【考案の効果】
【０００５】
圃場おける田植え機への苗箱の運搬が、苗箱の水稲苗を傷めることなく、一度に４〜６枚の多量化を可能とし、著しく能率の向上がはかれると共に、田植え機の稼働率の向上および、田植え作業の著しい省力化がはかれる。
また、運搬具自体の足が圃場畦畔の形状に応じて、幾分土に刺さることで、運搬具自体の転倒を防止し、安定した据え置き状態を確保する上、苗箱の取り出しも容易ならしむることが出来る。
この効果は、圃場の違いにも左右されない上、苗箱の苗の損傷も防げ無駄の発生もなくせる。
【考案を実施するための最良の形態】
【０００６】
本考案に係る水稲苗箱の手提げ運搬具は、図１に示すように、鋭角の４本の足１、を持った矩形状の本体枠２と、取っ手３、水稲苗箱を斜めの棚状に格納する苗箱受け枠４、水稲苗箱５から成り立っている。
足１の形状により、圃場の畦畔６、の状況に応じて幾分土に刺さるようになっている。
【図面の簡単な説明】
【０００７】
【図１】本考案に係る水稲苗箱の手提げ運搬具の形状を、苗箱の格納状態として示した斜視図である。
【図２】本考案に係る水稲苗箱の手提げ運搬具の、圃場の畦畔における設置状態を示した断面図である。
【符号の説明】
【０００８】
１    鋭角に作られた足
２    本体枠
３    取っ手
４    苗箱受け枠
５    水稲苗箱
６    水田の畦畔
【図１】
0003119680.tif 000003
【図２】
0003119680.tif 000004
【手続補正書】
【提出日】平成17年12月26日(2005.12.26)
【手続補正１】
【補正対象書類名】実用新案登録請求の範囲
【補正対象項目名】全文
【補正方法】変更
【補正の内容】
【実用新案登録請求の範囲】
【請求項１】
田植機に供給する水稲苗箱を手運搬するため、２〜３枚の水稲苗箱を、斜めの棚状に
格納できる荷受枠を有する、４本足つきの手提げ形の水稲苗箱運搬具。
【請求項２】
この運搬具の４本の足の部分を土に刺さるべく，先端を鋭利に加工した形状を有する、請求項１に記載の水稲苗箱手提げ運搬具。
(57)【要約】      （修正有）【課題】フレキシブルに高さを変更でき、安価に製作できるプラスチック製の椅子を提供する。【解決手段】座面状に押し出したブリスターパックのシートを数十枚重ねることで椅子とする。【選択図】図１
0003119678.tif 000002
【実用新案登録請求の範囲】
【請求項１】
ブリスターパックの製造技術を利用し、座面状に押し出したシートを重ねて構成される椅子。
【考案の詳細な説明】
【技術分野】
【０００１】
この考案は、フレキシブルに高さを変更でき、安価に製作できるプラスチック製の椅子に関する考案である。
【背景技術】
【０００２】
ブリスターパックの製造技術。
【考案の開示】
【考案が解決しようとする課題】
【０００３】
従来のプラスチック製の椅子は型代が高く、安価なイニシャルコストでの生産が難しかった。また従来のプラスチック製の椅子は、一つの椅子を複数に分けて使うような利用ができなかった上、プラスチック自体の高さが変更できるものや、色・ストライプを自在に変更することが可能な椅子は無かった。
【課題を解決するための手段】
【０００４】
座面状に押し出したブリスターパックのシートを数十枚重ねることで椅子とする。
【考案の効果】
【０００５】
現在のブリスターパック生産ラインを利用して製作できるため、非常に安価にプラスチック製の椅子を生産することが可能であり、また、透明な板が積層した非常に美しい椅子が出来る。
【０００６】
それと同時に、一枚単位での販売を可能にし、パックのカラーを何色か用意することで、好きなカラーストライプの椅子を組み替えながら使うことが可能である。
また、時に高い椅子、時に低い椅子として、分割して使うことが可能になる。
【考案を実施するための最良の形態】
【０００７】
インテリア用の椅子としての、カラーバリエーションのある数十枚セットでの販売。
また同時に、シート単数での非常に安価な販売形態が最良である。
【図面の簡単な説明】
【０００８】
【図１】シートを重ねた状態の一例を示したパース図である。
【図２】脱着の様子を示した立面図である。
【図１】
0003119678.tif 000003
【図２】
0003119678.tif 000004